【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
第１の波長、および、前記第１の波長とは異なる第２の波長の光を発生可能に構成された光源と、
光が被検体に照射されることにより発生する光音響波を検出して検出信号を出力する音響波検出手段と、
前記第１の波長の光が前記被検体に照射されたときに前記音響波検出手段が出力する第１の検出信号と、前記第２の波長の光が前記被検体に照射されたとき前記音響波検出手段が出力する第２の検出信号とに基づき、被検体情報を取得する処理手段と、
を有し、
前記処理手段は、前記第１の波長における前記被検体の有効減衰係数、および、前記第２の波長における前記被検体の有効減衰係数が実質的に同一である前記第１の波長及び前記第２の波長を設定する
ことを特徴とする被検体情報取得装置。
【請求項２】
前記被検体情報は、前記被検体内の酸素飽和度の分布であり、
前記処理手段は、前記被検体内の前記第１の波長の光の光量分布、および、前記被検体内の前記第２の波長の光の光量分布を用いずに前記酸素飽和度の分布を取得し、
取得される前記酸素飽和度の誤差が１０％以下となる、前記第１の波長および前記第２の波長を設定する
ことを特徴とする請求項１に記載の被検体情報取得装置。
【請求項３】
第１の波長の光、および、前記第１の波長とは異なる第２の波長の光を発生可能に構成された光源と、
光が被検体に照射されることにより発生する光音響波を検出して検出信号を出力する音響波検出手段と、
前記第１の波長の光が前記被検体に照射されたときに前記音響波検出手段が出力する第１の検出信号と、前記第２の波長の光が前記被検体に照射されたとき前記音響波検出手段が出力する第２の検出信号に基づき、前記被検体内の酸素飽和度の分布を取得する処理手段と、
を有し、
前記処理手段は、前記被検体内の前記第１の波長の光の光量分布、および、前記被検体内の前記第２の波長の光の光量分布を用いずに前記酸素飽和度の分布を取得する
ことを特徴とする被検体情報取得装置。
【請求項４】
前記処理手段は、取得される前記酸素飽和度の誤差が１０％以下となる、前記第１の波長および前記第２の波長を設定する
ことを特徴とする請求項３に記載の被検体情報取得装置。
【請求項５】
前記処理手段は、前記被検体の有効減衰係数スペクトルに基づいて、前記第１の波長または前記第２の波長を設定することを特徴とする請求項１から４のいずれか１項に記載の被検体情報取得装置。
【請求項６】
前記有効減衰係数スペクトルを取得するスペクトル取得手段を更に有することを特徴とする請求項５に記載の被検体情報取得装置。
【請求項７】
前記スペクトル取得手段が光拡散分光装置であることを特徴とする請求項６に記載の被検体情報取得装置。
【請求項８】
前記第１の波長の光の光学パターンと前記第２の波長の光の光学パターンとを実質的に同一とする照射光学手段を有することを特徴とする請求項１から７のいずれか１項に記載の被検体情報取得装置。
【請求項９】
前記第１の波長の光の強度および前記第２の波長の光の強度を取得する光検出手段と、
前記光検出手段が取得した前記第１の波長の光の強度および前記第２の波長の光の強度に基づき、前記第１の波長の光の強度と前記第２の波長の光の強度との差が小さくなるように、前記第１の波長の光の強度または前記第２の波長の光の強度を制御する制御手段と、を有することを特徴とする請求項１から８のいずれか１項に記載の被検体情報取得装置。
【請求項１０】
前記制御手段は、前記光源の出力を制御することを特徴とする請求項９に記載の被検体情報取得装置。
【請求項１１】
前記第１の波長の光の強度および前記第２の波長の光の強度を取得する光検出手段を有し、
前記処理手段は、前記第１の波長の光の強度、前記第２の波長の光の強度、前記第１の検出信号、および前記第２の検出信号に基づき、前記被検体情報を取得することを特徴とする請求項１から８のいずれか１項に記載の被検体情報取得装置。
【請求項１２】
前記光源は、前記第１の波長の光を発生する第１の光源、および、前記第２の波長の光を発生する第２の光源を含むことを特徴とする請求項１から１１のいずれか１項に記載の被検体情報取得装置。
【請求項１３】
前記処理手段は、
前記第１の検出信号に基づき前記被検体内の第１の初期音圧分布を取得し、
前記第２の検出信号に基づき前記被検体内の第２の初期音圧分布を取得し、
前記第１の初期音圧分布および前記第２の初期音圧分布に基づき、前記被検体情報を取得することを特徴とする請求項１から１２のいずれか１項に記載の被検体情報取得装置。
【請求項１４】
前記被検体情報は前記被検体内の酸素飽和度分布であることを特徴とする請求項１から１３のいずれか１項に記載の被検体情報取得装置。
【請求項１５】
第１の波長における被検体の有効減衰係数、および、前記第１の波長とは異なる第２の波長における前記被検体の有効減衰係数が実質的に同一である、前記第１の波長および前記前記第２の波長を設定する工程と、
前記第１の波長の光が被検体に照射されることにより発生する光音響波を検出して得られた第１の検出信号と、前記第２の波長の光が前記被検体に照射されることにより発生する光音響波を検出して得られた第２の検出信号と、に基づき、被検体情報を取得する工程と、
を含む
ことを特徴とする被検体情報取得方法。
【請求項１６】
前記被検体情報は、前記被検体内の酸素飽和度の分布であり、
前記第１の波長および前記前記第２の波長を設定する工程は、取得される前記酸素飽和度の誤差が１０％以下となる、前記第１の波長および前記第２の波長を設定する工程を含み、
前記被検体情報を取得する工程は、前記第１の検出信号と、前記第２の検出信号と、を用いて、前記被検体内の前記第１の波長の光の光量分布と、前記被検体内の前記第２の波長の光の光量分布と、を用いずに前記酸素飽和度の分布を取得する工程を含む
ことを特徴とする請求項１５に記載の被検体情報取得方法。
【請求項１７】
第１の波長および前記第１の波長とは異なる第２の波長を設定する工程と、
前記第１の波長の光が被検体に照射されることにより発生する光音響波を検出して得られた第１の検出信号と、前記第２の波長の光が前記被検体に照射されることにより発生する光音響波を検出して得られた第２の検出信号と、を用いて、前記被検体内の前記第１の波長の光の光量分布と、前記被検体内の前記第２の波長の光の光量分布と、を用いずに前記被検体内の酸素飽和度の分布を取得する工程と、
を含む
ことを特徴とする被検体情報取得方法。
【請求項１８】
前記第１の波長および前記前記第２の波長を設定する工程は、取得される前記酸素飽和度の誤差が１０％以下となる、前記第１の波長および前記第２の波長を設定する工程を含む
ことを特徴とする請求項１７に記載の被検体情報取得方法。
【請求項１９】
前記第１の波長および前記第２の波長を設定する工程は、前記被検体の有効減衰係数スペクトルに基づいて、前記第１の波長または前記第２の波長を設定する工程を含む
ことを特徴とする請求項１５から１８のいずれか１項に記載の被検体情報取得方法。
【請求項２０】
前記被検体の有効減衰係数スペクトルを取得する工程を更に含む
ことを特徴とする請求項１９に記載の被検体情報取得方法。
【請求項２１】
前記第１の波長の光の強度および前記第２の波長の光の強度を検出する工程と、
前記第１の波長の光の強度および前記第２の波長の光の強度に基づき、前記第１の波長の光の強度と前記第２の波長の光の強度との差が小さくなるように、前記第１の波長の光の強度または前記第２の波長の光の強度を制御する工程と、を更に含む
ことを特徴とする請求項１５から２０のいずれか１項に記載の被検体情報取得方法。
【請求項２２】
前記第１の波長の光の強度および前記第２の波長の光の強度を検出する工程を更に有し、
前記被検体情報を取得する工程は、前記第１の波長の光の強度、前記第２の波長の光の強度、前記第１の検出信号、および前記第２の検出信号に基づき、前記被検体情報を取得する工程を含む
ことを特徴とする請求項１５から２１のいずれか１項に記載の被検体情報取得装置。
【請求項２３】
前記被検体情報を取得する工程は、
前記第１の検出信号に基づき前記被検体内の第１の初期音圧分布を取得する工程と、
前記第２の検出信号に基づき前記被検体内の第２の初期音圧分布を取得する工程と、
前記第１の初期音圧分布および前記第２の初期音圧分布に基づき、前記被検体情報を取得する工程と、を更に含む
ことを特徴とする請求項１５から２２のいずれか１項に記載の被検体情報取得方法。
【請求項２４】
前記被検体情報は前記被検体内の酸素飽和度分布であることを特徴とする請求項１５から２３のいずれか１項に記載の被検体情報取得方法。
【請求項２５】
コンピュータに、請求項１５から２４のいずれか１項の被検体情報取得方法を実行させることを特徴とするプログラム。
【手続補正２】
【補正対象書類名】明細書
【補正対象項目名】００２５
【補正方法】変更
【補正の内容】
【００２５】
本発明に係る被検体情報取得装置は、第１の波長、および、前記第１の波長とは異なる第２の波長の光を発生可能に構成された光源と、光が被検体に照射されることにより発生する光音響波を検出して検出信号を出力する音響波検出手段と、前記第１の波長の光が前記被検体に照射されたときに前記音響波検出手段が出力する第１の検出信号と、前記第２の波長の光が前記被検体に照射されたとき前記音響波検出手段が出力する第２の検出信号とに基づき、被検体情報を取得する処理手段と、を有し、前記処理手段は、前記第１の波長における前記被検体の有効減衰係数、および、前記第２の波長における前記被検体の有効減衰係数が実質的に同一である前記第１の波長及び前記第２の波長を設定する。